(57)【要約】  駆動電流信号に応じて送信光信号を生成するＬＤ（３０３）と、ファイバコア（３０７１）及びクラッド（３０７２）を有し、ＬＤ（３０３）により生成された送信光信号が入射される光ファイバ（３０７）と、クラッド（３０７２）に入射された送信光信号を分岐させる光分岐部（３０５）と、光分岐部（３０５）により分岐された送信光信号をモニタするＰＤ（３０６）と、ＰＤ（３０６）によるモニタ結果に基づいて、入力された送信電気信号から駆動電流信号を生成する駆動制御部（３０１）とを備えた。
2017168559.tif 000002
【特許請求の範囲】
【請求項１】
駆動電流信号に応じて光信号を生成する発光部と、
ファイバコア及びクラッドを有し、前記発光部により生成された光信号が入射される光ファイバと、
前記クラッドに入射された光信号を分岐させる光分岐部と、
前記光分岐部により分岐された光信号をモニタするモニタ部と、
前記モニタ部によるモニタ結果に基づいて、入力された電気信号から前記駆動電流信号を生成する駆動制御部と
を備えた光送信器。
【請求項２】
前記光分岐部は、光ファイバから成る
ことを特徴とする請求項１記載の光送信器。
【請求項３】
前記光分岐部は、平面光波回路から成る
ことを特徴とする請求項１記載の光送信器。
【請求項４】
駆動電流信号に応じて光信号を生成する発光部と、
ファイバコア及びクラッドを有し、前記発光部により生成された光信号が入射される光ファイバと、
前記クラッドに入射された光信号を分岐させる光分岐部と、
前記光分岐部により分岐された光信号をモニタするモニタ部と、
前記モニタ部によるモニタ結果に基づいて、入力された電力信号から前記駆動電流信号を生成する駆動制御部と
を備えた光送受信器。
【請求項５】
前記光分岐部は、光ファイバから成る
ことを特徴とする請求項１記載の光送受信器。
【請求項６】
前記光分岐部は、平面光波回路から成る
ことを特徴とする請求項１記載の光送受信器。
【発明の詳細な説明】
【技術分野】
【０００１】
この発明は、電気信号を光信号に変換する光送信器及び光送受信器に関するものである。
【背景技術】
【０００２】
光通信装置の通信品質を決める重要なパラメータの１つは、光通信装置に搭載された光送信器から出力される光信号の光出力安定度である。そこで、光出力安定度を高めるため、光送信器から出力された光信号の一部を取出して、その光信号を駆動制御部にフィードバックし、光信号が一定の強度となるように制御するＡＰＣ（Ａｕｔｏ  Ｐｏｗｅｒ  Ｃｏｎｔｒｏｌ）制御が行われている。ＡＰＣ制御におけるフィードバック手法としては、例えば以下の手法が挙げられる。【０００３】
１つ目は、光送信器に内蔵されたＬＤ（Ｌａｓｅｒ  Ｄｉｏｄｅ）における光信号の出力端とは反対側の端面からの漏れ光である背面光を、ＰＤ（Ｐｈｏｔｏ  Ｄｉｏｄｅ）でモニタしてフィードバックする手法である（以下、第１の手法と称す）。
２つ目は、光送信器における光信号の出力端に光分岐部を配置して当該光送信器から出力された光信号の一部を分岐させ、この分岐された光信号をＰＤでモニタしてフィードバックする手法である（以下、第２の手法と称す）。【０００４】
第１の手法では、通常、ＬＤ及びＰＤを一体化した光素子（ＬＤ−ＴＯ−ＣＡＮ）とすることができるため、構成が簡単であり、小型化という意味で大きなメリットがある。反面、第１の手法では、ＬＤから出力された光信号が光送信器の出力端に至る経路での損失変動に対しては対応できないというデメリットがある。【０００５】
一方、第２の手法では、光送信器の出力端で光信号の一部を分岐させてモニタを行っているため、上記の損失変動にも対応でき、高い光出力安定度を実現することができる。反面、第２の手法では、光送信器の出力端側に光分岐部及びＰＤを配置する必要があるため、構成が複雑であり、小型化の実現は難しい。【０００６】
それに対し、光分岐部を、光送信器の出力端部品に内蔵された光ファイバを切断するように挿入し、光分岐部により光ファイバを伝搬する光信号の一部を分岐させるものがある（例えば特許文献１参照）。これにより、第２の手法を用いても小型化が可能となる。
【先行技術文献】
【特許文献】
【０００７】
【特許文献１】特開２０１３−６１４８１号公報
【発明の概要】
【発明が解決しようとする課題】
【０００８】
近年、通信需要の増加に伴い、光送信器に対する性能の向上が要求されており、特に、光信号の高出力化が要求されている。しかしながら、特許文献１に開示された従来技術では、光送信器から出力された光信号の一部を分岐させてモニタを行っているため、原理的に、受信側の装置に伝送される光信号の強度が低下し、高出力化の弊害となるという課題がある。【０００９】
この発明は、上記のような課題を解決するためになされたもので、高い光出力安定度を維持し、且つ、受信側の装置に伝送される光信号の強度の低下を防ぐことができる光送信器を提供することを目的としている。
【課題を解決するための手段】
【００１０】
この発明に係る光送信器は、駆動電流信号に応じて光信号を生成する発光部と、ファイバコア及びクラッドを有し、発光部により生成された光信号が入射される光ファイバと、クラッドに入射された光信号を分岐させる光分岐部と、光分岐部により分岐された光信号をモニタするモニタ部と、モニタ部によるモニタ結果に基づいて、入力された電気信号から駆動電流信号を生成する駆動制御部とを備えたものである。
【発明の効果】
【００１１】
この発明によれば、上記のように構成したので、高い光出力安定度を維持し、且つ、受信側の装置に伝送される光信号の強度の低下を防ぐことができる。
【図面の簡単な説明】
【００１２】
【図１】この発明の実施の形態１に係る光送信装置の構成例を示す図である。
【図２】図２Ａ、図２Ｂは、この発明の実施の形態１における光送信器のファイバスタブ部分の構成例を示す図であり、光ファイバの構成例を示す正面図と、ファイバスタブ部分の構成例を示す側断面図である。
【図３】この発明の実施の形態１に係る光送信装置の動作例を示すフローチャートである。
【図４】この発明の実施の形態２に係る光送受信装置の構成例を示す図である。
【図５】図５Ａ、図５Ｂは、この発明の実施の形態１，２における情報処理部及び駆動制御部のハードウェア構成例を示す図である。
【発明を実施するための形態】
【００１３】
以下、この発明の実施の形態について図面を参照しながら詳細に説明する。
実施の形態１．
図１はこの発明の実施の形態１に係る光送信装置１の構成例を示す図である。
光送信装置１は、外部から入力された情報データを光ファイバ伝送路４で伝送し易い光信号（以下、送信光信号と称す）に変換し、当該送信光信号を光ファイバ伝送路４を介して受信側の装置に伝送する装置である。この光送信装置１は、図１に示すように、情報処理部２及び光送信器３を備えている。
【００１４】
情報処理部２は、外部から入力された情報データを電気信号（以下、送信電気信号と称す）に変換するものである。この際、情報処理部２は、予め決められたルールに従って上記変換を行う。例えば、情報処理部２は、送信電気信号として、情報データを、１と０に対応する大小２値の電圧で表現したディジタル信号に変換する。このディジタル信号は、通常、ＮＲＺ（Ｎｏｎ  Ｒｅｔｕｒｎ  ｔｏ  Ｚｅｒｏ）符号で表現され、マーク率は５０％となっている。なお、ＮＲＺ符号は、ディジタル信号における最小単位長さの間、１又は０に対応する電圧を保持する符号であり、マーク率は、全ディジタル信号における１と０の割合である。また、情報処理部２は、送信電気信号に対して信号処理も行う。この信号処理としては、例えば、通信容量を決める信号速度調整、情報漏えい防止のための暗号化、誤り訂正符号の付与が挙げられる。この情報処理部２により得られた送信電気信号は、光送信器３の後述する駆動制御部３０１に出力される。
【００１５】
光送信器３は、情報処理部２からの送信電気信号を送信光信号に変換するものである。この光送信器３は、駆動制御部３０１及び光モジュール３０２を備えている。また、光モジュール３０２は、ＬＤ（発光部）３０３、ファイバスタブ３０４、光分岐部３０５及びＰＤ（モニタ部）３０６を有している。
【００１６】
駆動制御部３０１は、情報処理部２からの送信電気信号から、ＬＤ３０３を駆動するための駆動電流信号を生成するものである。例えば送信電気信号がディジタル信号である場合には、駆動制御部３０１は、当該ディジタル信号が示す１と０を、ＬＤ３０３での発光と消光に対応させるように、駆動電流信号を生成する。これにより、駆動制御部３０１は、ＬＤ３０３に対する強度変調（ＩＭ：Ｉｎｔｅｎｓｉｔｙ  Ｍｏｄｕｌａｔｉｏｎ）を行う。またこの際、駆動制御部３０１は、ＰＤ３０６からモニタ結果を示す電気信号が入力されている場合には、当該電気信号に基づいて駆動電流信号の電流値を制御する。これにより、駆動制御部３０１は、光送信器３での光出力が一定となるようにＬＤ３０３の出力強度を制御するＡＰＣ制御を行う。この駆動制御部３０１により生成された駆動電流信号は、光モジュール３０２のＬＤ３０３に出力される。
【００１７】
ＬＤ３０３は、駆動制御部３０１からの駆動電流信号に応じて発光と消光を行うことで、送信光信号を生成するものである。このＬＤ３０３により生成された送信光信号は、光モジュール３０２内の空間を介して、ファイバスタブ３０４の後述する光ファイバ３０７に入射される。
【００１８】
ファイバスタブ３０４は、光モジュール３０２の出力端に設けられ、光ファイバ３０７を内蔵したものである。また、ファイバスタブ３０４には、光ファイバ３０７の出力端に光ファイバ伝送路４が接続されている。
【００１９】
光ファイバ３０７は、ＬＤ３０３から入射された送信光信号を伝送し、当該送信光信号を光ファイバ伝送路４に結合するものである。この光ファイバ３０７は、図２に示すように、ファイバコア３０７１及びクラッド３０７２を有している。この光ファイバ３０７の詳細については後述する。
【００２０】
光分岐部３０５は、クラッド３０７２に入射された送信光信号を分岐させるものである。この光分岐部３０５は、光ファイバ又は平面光波回路（ＰＬＣ：Ｐｌａｎａｒ  Ｌｉｇｈｔｗａｖｅ  Ｃｉｒｃｕｉｔ）等の光信号を伝送する媒体により構成される。この光分岐部３０５により分岐された送信光信号は、ＰＤ３０６に出力される。この光分岐部３０５の詳細については後述する。
【００２１】
ＰＤ３０６は、光分岐部３０５からの送信光信号をモニタするものである。この際、ＰＤ３０６は、光分岐部３０５からの送信光信号の平均レベルを検出して電気信号に変換する。例えば情報処理部２にて情報データが、ＮＲＺ符号で表現されマーク率が５０％であるディジタル信号に変換された場合には、ＰＤ３０６は、送信光信号の発光と消光との間の中心レベルを上記平均レベルとして検出する。このＰＤ３０６による送信光信号のモニタ結果を示す電気信号は、駆動制御部３０１に出力される。
【００２２】
次に、光ファイバ３０７及び光分岐部３０５の詳細について説明する。
光ファイバ３０７は、図２に示すように、ファイバコア３０７１及びクラッド３０７２を有している。
【００２３】
ファイバコア３０７１は、当該ファイバコア３０７１に入射された送信光信号を出力端側へ伝送するものである。
クラッド３０７２は、ファイバコア３０７１の屈折率よりも低い屈折率の部材から構成され、ファイバコア３０７１の外周に同心円状に設けられたものである。このクラッド３０７２は、伝送媒体の屈折率が変化する境界面で光信号が折れ曲がる性質を利用し、ファイバコア３０７１に入射された送信光信号を当該ファイバコア３０７１内に閉じ込める。
【００２４】
ここで、ＬＤ３０３から出力され、光モジュール３０２内の空間を介して光ファイバ３０７に入射された送信光信号は、進行方向に垂直な方向に広がりを持っている。そのため、この送信光信号は、ファイバコア３０７１の端部だけではなく、クラッド３０７２の端部にも入射される。
そして、ファイバコア３０７１に入射された送信光信号は、その入射角度に応じてファイバコア３０７１内で全反射を繰り返しながら伝搬し、最終的に光ファイバ伝送路４に結合されて受信側の装置に伝送される。なお、光信号が全反射するようなファイバコア３０７１とクラッド３０７２との境界への入射角度を臨界角と呼ぶ。
【００２５】
一方、クラッド３０７２に入射された送信光信号は、その入射角度方向に伝搬し、最終的に光ファイバ３０７の外部へ散乱するため、受信側の装置には到達しない。そこで、このクラッド３０７２に入射された送信光信号を光分岐部３０５で分岐させてＰＤ３０６でモニタすることで、光送信器３の光出力安定度を高める。なお、上述したように、光ファイバ伝送路４を介して受信側の装置に到達する送信光信号は、ファイバコア３０７１内を伝搬した成分のみである。そのため、クラッド３０７２内を伝搬する送信光信号を分岐させて取出しても、受信側の装置に到達する送信光信号の強度には影響しない。
【００２６】
次に、クラッド３０７２内を伝搬する送信光信号を分岐させて取出す方法について説明する。
光ファイバ３０７は主に石英ガラスで構成されている。そのため、この光ファイバ３０７のクラッド３０７２に対し、光ファイバ３０７とは別構成の伝送媒体である光分岐部３０５を近接させることで、クラッド３０７２内を伝搬する送信光信号を分岐させて取出すことができる。この際、例えば、ファイバスタブ３０４の側面に穴を開けて、光分岐部３０５の一端を挿入することで、当該一端をクラッド３０７２に近接配置する。
【００２７】
なお、ファイバスタブ３０４の直径は一般的に２．５ｍｍ程度であり、その中心に位置する光ファイバ３０７からファイバスタブ３０４の側面までの距離は１ｍｍ程度である。また、光分岐部３０５の線路長が短いほど、光分岐部３０５により分岐された送信光信号の損失を抑えることができ、また、小型化にも寄与することができる。そのため、光分岐部３０５の線路長は、数ｍｍ〜１ｃｍ程度とすることが望ましい。
【００２８】
また、ファイバスタブ３０４の全長は一般的に１ｃｍ程度である。また、送信光信号は、クラッド３０７２に入射された後、その入射角度方向に沿ってクラッド３０７２の外側に向かって拡散する。そのため、クラッド３０７２内を伝搬する送信光信号を効率的にモニタするためには、光分岐部３０５の一端を、ファイバスタブ３０４の入射端（図１，２ではファイバスタブ３０４の左端）に近づけることが望ましい。
【００２９】
また、光分岐部３０５は、図２に示すように、光モジュール３０２内の空間側には露出しない。これは、光分岐部３０５が上記空間側へ露出すると、ファイバコア３０７１内を伝搬する送信光信号に対し、光分岐部３０５により分岐させた送信光信号の特性が変わり、高い光出力安定度を実現し難くなるためである。すなわち、送信光信号が光ファイバ３０７に入射されるとき、光ファイバ３０７と上記空間との屈折率差によって反射が生じる。一方、光分岐部３０５が上記空間側へ露出すると、送信光信号が光分岐部３０５に入射されるとき、光分岐部３０５と上記空間との屈折率差によって反射が生じる。この際、光ファイバ３０７の入射端と光分岐部３０５の入射端での反射の仕方は異なるため、ファイバコア３０７１内を伝搬する送信光信号と光分岐部３０５により分岐させた送信光信号との特性が変わる。
【００３０】
次に、実施の形態１に係る光送信装置１の動作例について、図１〜３を参照しながら説明する。
実施の形態１に係る光送信装置１の動作例では、図３に示すように、まず、情報処理部２は、外部から入力された情報データを送信電気信号に変換する（ステップＳＴ３０１）。この情報処理部２により得られた送信電気信号は、駆動制御部３０１に出力される。
【００３１】
次いで、駆動制御部３０１は、情報処理部２からの送信電気信号から、ＬＤ３０３を駆動するための駆動電流信号を生成する（ステップＳＴ３０２）。なおこの際、駆動制御部３０１は、ＰＤ３０６からモニタ結果を示す電気信号が入力されている場合には、当該電気信号に基づいて駆動電流信号の電流値を制御する。これにより、駆動制御部３０１は、光送信器３での光出力が一定となるようにＬＤ３０３の出力強度を制御するＡＰＣ制御を行う。この駆動制御部３０１により生成された駆動電流信号は、ＬＤ３０３に出力される。
【００３２】
次いで、ＬＤ３０３は、駆動制御部３０１からの駆動電流信号に応じて発光と消光を行うことで、送信光信号を生成する（ステップＳＴ３０３）。このＬＤ３０３により生成された送信光信号は、光モジュール３０２内の空間を介して、光ファイバ３０７に入射される。
【００３３】
次いで、光ファイバ３０７は、ＬＤ３０３から入射された送信光信号を伝送し、当該送信光信号を光ファイバ伝送路４に結合する（ステップＳＴ３０４）。その後、送信光信号は、光ファイバ伝送路４を介して受信側の装置に伝送される。
【００３４】
一方、光分岐部３０５は、クラッド３０７２に入射された送信光信号を分岐させる（ステップＳＴ３０５）。この光分岐部３０５により分岐された送信光信号は、ＰＤ３０６に出力される。
【００３５】
次いで、ＰＤ３０６は、光分岐部３０５からの送信光信号をモニタする（ステップＳＴ３０６）。このＰＤ３０６によるモニタ結果を示す電気信号は、駆動制御部３０１に出力される。
【００３６】
以上のように、この実施の形態１によれば、駆動電流信号に応じて送信光信号を生成するＬＤ３０３と、ファイバコア３０７１及びクラッド３０７２を有し、ＬＤ３０３により生成された送信光信号が入射される光ファイバ３０７と、クラッド３０７２に入射された送信光信号を分岐させる光分岐部３０５と、光分岐部３０５により分岐された送信光信号をモニタするＰＤ３０６と、ＰＤ３０６によるモニタ結果に基づいて、入力された送信電気信号から駆動電流信号を生成する駆動制御部３０１とを備えたので、高い光出力安定度を維持し、且つ、受信側の装置に伝送される光信号の強度の低下を防ぐことができる。
【００３７】
なお上記では、ＬＤ３０３を用いた場合を説明したが、これに限るものではなく、駆動電流信号に応じて送信光信号を生成する発光部であればよい。
また上記では、ＰＤ３０６を用いた場合を説明したが、これに限るものではなく、光分岐部３０５により分岐された送信光信号をモニタするモニタ部であればよい。
【００３８】
実施の形態２．
実施の形態１では、信号を一方向に伝送する光送信器３を備えた光送信装置１を例に説明を行った。それに対して、実施の形態２では、信号を双方向に伝送する光送受信器７を備えた光送受信装置５の場合について説明する。
【００３９】
図４はこの発明の実施の形態２に係る光送受信装置５の構成例を示す図である。
光送受信装置５は、例えば、ＦＴＴＨ（Ｆｉｂｅｒ  Ｔｏ  Ｔｈｅ  Ｈｏｍｅ）システムとして代表的なＧＥＰＯＮ（Ｇｉｇａｂｉｔ  Ｅｔｈｅｒｎｅｔ(登録商標)  Ｐａｓｓｉｖｅ  Ｏｐｔｉｃａｌ  Ｎｅｔｗｏｒｋ）システムに使用される装置である。このＧＥＰＯＮシステムでは、センタ局に設置される局側光回線終端装置（ＯＬＴ：Ｏｐｔｉｃａｌ  Ｌｉｎｅ  Ｔｅｒｍｉｎａｌ）と、加入者宅内に設置される加入者側光回線終端装置（ＯＮＵ：Ｏｐｔｉｃａｌ  Ｎｅｔｗｏｒｋ  Ｕｎｉｔ）とを備え、それぞれの装置に光送受信装置５が適用される。このＧＥＰＯＮシステムは、１本の光ファイバで、ＯＬＴからＯＮＵに伝送する信号（下り信号）と、ＯＮＵからＯＬＴに伝送する信号（上り信号）とを双方向伝送する点が特徴である。この光送受信装置５は、図４に示すように、情報処理部６及び光送受信器７を備えている。
【００４０】
情報処理部６は、実施の形態１における情報処理部２が有する機能に加え、後述する波形再生部７０３からのディジタル信号を情報データに復号する機能を有している。この際、情報処理部６は、予め決められたルールに従って上記復号を行う。
【００４１】
光送受信器７は、図１に示す実施の形態１における光送信器３が有する機能に加え、光ファイバ伝送路４を介して受信側の装置から伝送された光信号（以下、受信光信号と称す）をディジタル信号に変換する機能を有している。この光送受信器７は、図１に示す光送信器３に、分離フィルタ７０１、ＰＤ７０２及び波形再生部７０３を追加したものである。その他の構成は同様であり、同一の符号を付してその説明を省略する。
【００４２】
分離フィルタ７０１は、ＬＤ３０３からの送信光信号を透過し、光ファイバ３０７からの受信光信号を反射するものである。この分離フィルタ７０１により反射された受信光信号は、ＰＤ７０２に入射される。
【００４３】
ＰＤ７０２は、分離フィルタ７０１から入射された受信光信号を電気信号（以下、受信電気信号と称す）に変換するものである。このＰＤ７０２により得らえた受信電気信号は、波形再生部７０３に出力される。
【００４４】
波形再生部７０３は、ＰＤ７０２からの受信電気信号を波形再生してディジタル信号に変換するものである。この波形再生部７０３により得られたディジタル信号は、情報処理部６に出力される。
【００４５】
なお、実施の形態２に係る光送受信装置５の送信動作は、実施の形態１に係る光送信装置１の動作と同一であるため、その説明を省略する。
また、受信光信号は、光ファイバ３０７により伝送される際、クラッド３０７２内を伝搬する送信光信号を取出す光分岐部３０５の近辺を通過する。しかしながら、この受信光信号はファイバコア３０７１内を伝搬しており、また、逆方向に進行する光信号は互いに干渉しないという光信号の特性から、光分岐部３０５による送信光信号の取出しに対して受信光信号は全く影響しない。また、光分岐部３０５による送信光信号の取出しによって、受信光信号の強度が低下することもない。
【００４６】
以上のように、この実施の形態２によれば、信号を双方向に伝送する光送受信器７に対し、駆動電流信号に応じて送信光信号を生成するＬＤ３０３と、ファイバコア３０７１及びクラッド３０７２を有し、ＬＤ３０３により生成された送信光信号が入射される光ファイバ３０７と、クラッド３０７２に入射された送信光信号を分岐させる光分岐部３０５と、光分岐部３０５により分岐された送信光信号をモニタするＰＤ３０６と、ＰＤ３０６によるモニタ結果に基づいて、入力された送信電気信号から駆動電流信号を生成する駆動制御部３０１とを備えたので、高い光出力安定度を維持し、且つ、受信側の装置に伝送される光信号の強度の低下を防ぐことができる。
【００４７】
なお上記では、ＰＤ７０２を用いた場合を説明したが、これに限るものではなく、分離フィルタ７０１から入射された受信光信号を受信電気信号に変換する受光部であればよい。
【００４８】
最後に、図５を参照して、実施の形態１，２における情報処理部２，６及び駆動制御部３０１のハードウェア構成例を説明する。なお以下では、情報処理部２のハードウェア構成例について説明を行うが、情報処理部６及び実施の形態１，２における駆動制御部３０１についても同様である。
光送信装置１の情報処理部２の機能は、処理回路１１により実現される。処理回路１１は、図５Ａに示すように、専用のハードウェアであっても、図５Ｂに示すように、メモリ１３に格納されるプログラムを実行するＣＰＵ（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサ、ＤＳＰ（Ｄｉｇｉｔａｌ  Ｓｉｇｎａｌ  Ｐｒｏｃｅｓｓｏｒ）ともいう）１２であってもよい。
【００４９】
処理回路１１が専用のハードウェアである場合、処理回路１１は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、又はこれらを組み合わせたものが該当する。
【００５０】
処理回路１１がＣＰＵ１２の場合、情報処理部２の機能は、ソフトウェア、ファームウェア、又はソフトウェアとファームウェアとの組み合わせにより実現される。ソフトウェアやファームウェアはプログラムとして記述され、メモリ１３に格納される。処理回路１１は、メモリ１３に記憶されたプログラムを読み出して実行することにより、上記機能を実現する。すなわち、光送信装置１は、処理回路１１により実行されるときに、例えば図３におけるステップＳＴ３０１の処理が結果的に実行されることになるプログラムを格納するためのメモリ１３を備える。また、これらのプログラムは、情報処理部２の手順や方法をコンピュータに実行させるものであるともいえる。ここで、メモリ１３とは、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）等の、不揮発性又は揮発性の半導体メモリや、磁気ディスク、フレキシブルディスク、光ディスク、コンパクトディスク、ミニディスク、ＤＶＤ（Ｄｉｇｉｔａｌ  Ｖｅｒｓａｔｉｌｅ  Ｄｉｓｃ）等が該当する。
【００５１】
なお、情報処理部２の機能について、一部を専用のハードウェアで実現し、一部をソフトウェア又はファームウェアで実現するようにしてもよい。
このように、処理回路１１は、ハードウェア、ソフトウェア、ファームウェア、又はこれらの組み合わせによって、上述の機能を実現することができる。
【００５２】
また、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００５３】
この発明に係る光送信器及び光送受信器は、高い光出力安定度を維持し、且つ、受信側の装置に伝送される光信号の強度の低下を防ぐことができ、電気信号を光信号に変換する光送信器及び光送受信器等に用いるのに適している。
【符号の説明】
【００５４】
１  光送信装置、２  情報処理部、３  光送信器、４  光ファイバ伝送路、５  光送受信装置、６  情報処理部、７  光送受信器、１１  処理回路、１２  ＣＰＵ、１３  メモリ、３０１  駆動制御部、３０２  光モジュール、３０３  ＬＤ（発光部）、３０４  ファイバスタブ、３０５  光分岐部、３０６  ＰＤ（モニタ部）、３０７  光ファイバ、７０１  分離フィルタ、７０２  ＰＤ、７０３  波形再生部、３０７１  ファイバコア、３０７２  クラッド。
【図１】
2017168559.tif 000003
【図２】
2017168559.tif 000004
【図３】
2017168559.tif 000005
【図４】
2017168559.tif 000006
【図５】
2017168559.tif 000007
【国際調査報告】
2017168559.tif 000008
2017168559.tif 000009